(57)【要約】【課題】土寄せ作業時に第２整地板が変形する虞がなく、寄せられる土の量の予測が可能であり、さらに盛り上がった畦際の土を確実に土寄せできる代かき作業機を提供する。【解決手段】代かき作業機１は、作業機本体２に回転可能に支持された耕耘ロータ１３の上方がシールドカバー１０によって覆われ、シールドカバー１０の後端部に第１整地板１１が上下方向に回動自在に設けられ、第１整地板１１の後端部に第２整地板１２が上下方向に回動自在に設けられる。作業機本体２には、第１整地板１１に対して第２整地板１２が上向きに立った姿勢で第２整地板１２の回動をロック可能な固定機構５０が設けられている。このロック機構５０は、上向きに立った姿勢で第２整地板１２の回動をロックすると、作業機本体２に対する第１整地板１１の回動もロックする。【選択図】  図６
2014075987.tif 000002
【特許請求の範囲】
【請求項１】
作業機本体に回転可能に支持された耕耘ロータの上方がシールドカバーによって覆われ、該シールドカバーの後端部に第１整地板が上下方向に回動自在に設けられ、前記第１整地板の後端部に第２整地板が上下方向に回動自在に設けられた代かき作業機であって、
前記作業機本体には、前記第１整地板に対して前記第２整地板が上向きに立った姿勢で該第２整地板の回動をロック可能な固定手段が設けられている
ことを特徴とする代かき作業機。
【請求項２】
前記固定手段は、前記第１整地板に対して前記第２整地板が上向きに立った姿勢で該第２整地板の回動をロックすると、前記作業機本体に対する前記第１整地板の回動もロックする
ことを特徴とする請求項１に記載の代かき作業機。
【請求項３】
前記第２整地板は、前記作業機本体との間に回動自在に接続されたリンク機構を介して接続され、
前記固定手段は、前記リンク機構の回動をロック可能であり、
前記固定手段によって前記リンク機構の回動をロックすると、前記第２整地板が上向きに立った姿勢で前記第１整地板に対する該第２整地板の回動をロックする
ことを特徴とする請求項１又は２に記載の代かき作業機。
【請求項４】
前記固定手段は、前記作業機本体に設けられた係合手段と、前記リンク機構に設けられ前記係合手段を係止可能な係止手段とを有してなり、
前記係合手段が前記係止手段に係止され及び係止解除されると、前記第２整地板が前記第１整地板に対して固定及び固定解除される
ことを特徴とする請求項３に記載の代かき作業機。
【発明の詳細な説明】
【技術分野】
【０００１】
本発明は、作業機本体に回転可能に支持された作業ロータの上方がシールドカバーによって覆われ、シールドカバーの後端部に第１整地板が上下方向に回動自在に設けられ、第１整地板の後端部に第２整地板が上下方向に回動自在に設けられた代かき作業機に関する。
【背景技術】
【０００２】
このような代かき作業機には、作業ロータによって耕耘された圃場の端部に形成された盛り上がった土を土寄せ可能なものが知られている。この代かき作業機は、例えば、特許文献１に記載されているように、第１整地板（文献では第１の整地体）に対して第２整地板（文献では第２の整地体）を下方へ向けた姿勢で前進させると、第２整地板が盛り上がった土を圃場の低い部分に移動させる。このとき、第１整地板及び第２整地板は回動がロックされた状態に維持されている。
【０００３】
また、特許文献２に記載された代かき作業機（文献では農作業機）は、第２整地板が第１整地板に対して回動自在に支持され、第１整地板だけが作業機本体に対して回動量が制限された状態で前進して、第１整地板によって盛り上がった土を圃場の低い部分に移動させる。
【先行技術文献】
【特許文献】
【０００４】
【特許文献１】特開２００２−１８６３０４号公報
【特許文献２】特開２００８−１３６４２７号公報
【発明の概要】
【発明が解決しようとする課題】
【０００５】
土寄せ作業時に第２整地板を下方へ向けた姿勢にする従来の代かき作業機では、第２整地板がそもそも土の表面を均平にすることが可能な程度の強度しか有していないので、第２整地板を下方へ向けた姿勢で土寄せを行うと、土から受ける圧力で第２整地板が変形する虞がある。また、代かき作業機は走行機体の後部に連結されて走行機体の前進走行に伴って進行するが、図９（ａ）に示すように、走行機体に搭乗した作業者Ｍが後側に振り返って土寄せ作業を行っている第２整地板８２を目視で確認しようとしても、第２整地板８２は走行機体よりも後方側に位置するとともに第１整地板８１の後端部に接続されて且つ下方へ向いた姿勢にあるので、作業者の視線の先に代かき作業機の一部が邪魔をして、第２整地板８２を見ることができない。このため、第２整地板８２がどの程度、土に入り込んでいるかが分かりにくく寄せられる土の量を予測することができない。
【０００６】
また、土寄せ作業の対象となる土は、圃場の隅部や畦際に盛り上がった状態で滞留していることが多いため、できるだけ畦際ぎりぎりから土寄せ作業を開始するのが理想的である。しかし、従来技術では第２整地板が目視しにくいため、畦際ぎりぎりから土寄せ作業を行おうとすると、誤って畦に第２整地板を接触させて畦を崩してしまったり（図９（ａ）参照）、第２整地板を破損させてしまうことがあった。
【０００７】
一方、第１整地板によって土寄せ作業を行う従来の代かき作業機では、図９（ｂ）に示すように、第１整地板８１'の進行方向後側に第２整地板８２'が後方側へ延びた状態で存在するので、畦際に第１整地板８１'を接近させることができない。このため、畦際Ｗの盛り上がった土を寄せることができない。
【０００８】
本発明は、このような課題を解決するためになされたものであり、土寄せ作業時に第２整地板が変形する虞がなく、また寄せられる土の量の予測が可能であり、さらに盛り上がった畦際の土を確実に土寄せすることができる代かき作業機を提供することを目的とする。
【課題を解決するための手段】
【０００９】
上記目的を達成するために本発明の代かき作業機は、作業機本体に回転可能に支持された作業ロータの上方がシールドカバーによって覆われ、該シールドカバーの後端部に第１整地板が上下方向に回動自在に設けられ、第１整地板の後端部に第２整地板が上下方向に回動自在に設けられた代かき作業機であって、作業機本体には、第１整地板に対して第２整地板が上向きに立った姿勢で該第２整地板の回動をロック可能な固定手段（実施の形態における固定機構５０、６０）が設けられていることを特徴とする（請求項１）。
【００１０】
また、本発明の固定手段は、第１整地板に対して第２整地板が上向きに立った姿勢で該第２整地板の回動をロックすると、作業機本体に対する第１整地板の回動もロックすることを特徴とする（請求項２）。
【００１１】
また、本発明の第２整地板は、作業機本体との間に回動自在に接続されたリンク機構を介して接続され、固定手段は、リンク機構の回動をロック可能であり、固定手段によってリンク機構の回動をロックすると、第２整地板が上向きに立った姿勢で第１整地板に対する該第２整地板の回動をロックすることを特徴とする（請求項３）。
【００１２】
また、本発明の固定手段は、作業機本体に設けられた係合手段（実施の形態における係合板５１）と、リンク機構に設けられ係合手段を係止可能な係止手段（実施の形態における係止ピン５２）とを有してなり、係合手段が係止手段に係止され及び係止解除されると、第２整地板が第１整地板に対して固定及び固定解除されることを特徴とする（請求項４）。
【発明の効果】
【００１３】
本発明に係わる農作業機によれば、上記特徴を有することで、土寄せ作業時に第２整地板が変形する虞がなく、また盛り上がった畦際の土を確実に土寄せすることができる代かき作業機を提供することを目的とする。
【図面の簡単な説明】
【００１４】
【図１】本発明の第１実施形態に係わる代かき作業機の平面図を示す。
【図２】代かき作業機の背面図を示す。
【図３】代かき作業機が作業状態時にあるときの固定機構の作動を説明するための代かき作業機の側面側の説明図を示す。
【図４】代かき作業機が作業状態時にあるときの固定機構の平面図を示す。
【図５】代かき作業機が作業状態時にあるときの固定機構の背面図を示す。
【図６】代かき作業機が土寄せ状態時にあるときの固定機構の作動を説明するための代かき作業機の側面側の説明図を示す。
【図７】本発明の第２実施形態に係わる代かき作業機が作業状態時にあるときの固定機構の作動を説明するための代かき作業機の側面側の説明図を示す。
【図８】本発明の第２実施形態に係わる代かき作業機が土寄せ状態時にあるときの固定機構の作動を説明するための代かき作業機の側面側の説明図を示す。
【図９】従来の土寄せ作業方法を説明するための第１整地板及び第２整地板の側面側の模式図を示す。
【発明を実施するための形態】
【００１５】
以下、本発明の代かき作業機の好ましい実施の形態について、図１〜図８を参照しながら説明する。なお、本実施形態は、代かき作業機のうち作業機本体の両側に作業体左及び作業体右が折り畳み且つ展開可能に設けられた代かき作業機を例として説明する。なお、説明の都合上、図１に示す矢印の示す方向を前後方向及び左右方向として以下説明する。
【００１６】
[第１実施形態]
代かき作業機１は、図１（平面図）に示すように、走行機体９０の後部に装着されて走行機体９０の前進走行とともに進行して代かき作業を行う。代かき作業機１は、前進方向に対して左右方向の中央部に配置された作業機本体２と、作業機本体２の左右両端部に上下方向に回動可能に取り付けられた作業体左２０Ｌ及び作業体右２０Ｒとを備え、作業機本体２、作業体左２０Ｌ、作業体右２０Ｒによって３分割構造になっている。
【００１７】
作業機本体２は、左右方向に延びる主フレーム３を有した機体５の前部に、走行機体９０の後部に設けられた図示しない３点リンク連結機構が連結されて、走行機体９０の後部に対して昇降可能に装着される。主フレーム３の左右方向の中央部には前方へ突出する入力軸６ａを備えたギアボックス６が設けられ、走行機体９０のＰＴＯ軸からユニバーサルジョイント等の動力伝達手段を介して動力が入力軸６ａに伝達されるようになっている。
【００１８】
主フレーム３の左右両端部には伝動フレーム（チェーンケース）８と側部フレーム９が垂設され、伝動フレーム（チェーンケース）８と側部フレーム９の下部間には多数の耕耘爪を取り付けた耕耘ロータ１３（図３参照）が回転自在に支持されている。主フレーム３内には伝動機構が設けられ、この伝動機構が伝動フレーム（チェーンケース）８内の伝動機構と連結されて、入力軸６ａに伝達された動力がこれらの伝動機構を介して作業機本体２の耕耘ロータ１３（図３参照）と作業体左２０Ｌに設けられた耕耘ロータと作業体右２０Ｒに設けられた耕耘ロータに伝達されて、これらの耕耘ロータ１３等を所定方向に回転させるように構成されている。
【００１９】
伝動フレーム（チェーンケース）８と側部フレーム９の上部間には耕耘ロータ１３（図３参照）の上部を覆うシールドカバー１０が設けられている。このシールドカバー１０の後端部には、前側端部が上下方向に回動自在に取り付けられて斜め下方へ延びる第１整地板１１が設けられ、第１整地板１１の後端部には、第２整地板１２が上下方向に回動自在に設けられている。第１整地板１１の後端部によって耕土表面が平らに整地され、第２整地板１２によって圃場の耕土表面がさらに平らに整地される。
【００２０】
作業機本体２のシールドカバー１０の左右両側には、上方へ延びる箱状の支持体１５が設けられている。この支持体１５の上部には前後方向に延びる軸部１４が設けられ、この軸部１４を中心として作業体左２０Ｌ、作業体右２０Ｒが上下方向に回動自在に接続されている。これらの作業体左２０Ｌ及び作業体右２０Ｒは、作業者によって手動で回動されて、作業機本体２の上方位置に格納される作業体格納位置と、作業機本体２の側方位置に展開されて作業が可能な作業体作業位置（展開位置）との間を移動する。
【００２１】
作業体左２０Ｌ及び作業体右２０Ｒは、左右対称の構造であるので、作業体右２０Ｒについて説明し、作業体左２０Ｌについては作業体右２０Ｒと対応する符号を附してその説明を省略する。作業体右２０Ｒは、左右両側に側部フレーム２２Ｒ、２２Ｒが配設され、これらの側部フレーム２２Ｒ、２２Ｒの下部間には図示しない耕耘ロータが作業機本体２の耕耘ロータ１３からの動力を介して回転自在に支持され、側部フレーム２２Ｒ、２２Ｒの上部間には耕耘ロータの上部を覆うシールドカバー右２４Ｒが設けられている。シールドカバー右２４Ｒの後端部には、第１整地板右２６Ｒが上下方向に回動自在に取り付けられ、第１整地板右２６Ｒの後端部に第２整地板右２８Ｒが上下方向に回動自在に取り付けられている。シールドカバー右２４Ｒの作業機本体側には上方へ延びる連結体２９Ｒが設けられている。この連結体２９Ｒの作業機本体側の上部が作業機本体２の支持体１５に設けられた軸部１４に回動自在に接続されて、作業体右２０Ｒが作業機本体２に対して上下方向に回動可能である。
【００２２】
第２整地板右２８Ｒの外側端部には、延長補助整地板右３０Ｒが設けられている。なお、作業体左２０Ｌにも、延長補助整地板右３０Ｒと同様な延長補助整地板左３０Ｌが設けられているが、延長補助整地板左３０Ｌは延長補助整地板右３０Ｒと同様な構造であるので、延長補助整地板左３０Ｌについては延長補助整地板右３０Ｒと対応する符号を附して説明を省略する。
【００２３】
延長補助整地板右３０Ｒは、第２整地板右２８Ｒの外側端部に設けられた軸部２１Ｒを回動中心として回動して、展開状態時には第２整地板右２８Ｒの外側に延びて第２整地板右２８Ｒの整地作業を補助し、折り畳んだ状態（格納状態）時には第２整地板右２８Ｒの表面側に折り畳まれて第２整地板右２８Ｒと背中合わせに重なった状態となる。
【００２４】
この延長補助整地板右３０Ｒは、走行機体に搭乗した作業者が後方側に振り向いた状態で延長補助整地板右３０Ｒの操作が可能な図示しない操作機構によって展開及び格納操作が可能になっている。
【００２５】
作業体左２０Ｌ及び作業体右２０Ｒには、作業機本体２の第１整地板１１に対して作業体左２０Ｌの第１整地板左２６Ｌ及び作業体右２０Ｒの第１整地板右２６Ｒを連結及び連結解除可能な第１回動規制機構３３と、作業機本体２の第２整地板１２に対して作業体左２０Ｌの第２整地板左２８Ｌ及び作業体右２０Ｒの第２整地板右２８Ｒを連結及び連結解除可能な第２回動規制機構３４が設けられている。
【００２６】
第１回動規制機構３３は、第１整地板左２６Ｌ（第１整地板右２６Ｒ）が第１整地板１１に対して作業位置に移動すると、第１整地板左２６Ｌ（第１整地板右２６Ｒ）を第１整地板１１に連結し、第１整地板左２６Ｌ（第１整地板右２６Ｒ）が作業位置から格納位置側へ回動すると、第１整地板１１に対する第１整地板左２６Ｌ（第１整地板右２６Ｒ）の連結を解除するように構成されている。
【００２７】
第２回動規制機構３４は、第２整地板左２８Ｌ（第２整地板右２８Ｒ）が第２整地板１２に対して作業位置に移動すると、第２整地板左２８Ｌ（第２整地板右２８Ｒ）を第２整地板１２に連結し、第２整地板左２８Ｌ（第２整地板右２８Ｒ）が作業位置から格納位置側へ回動すると、第２整地板１２に対する第２整地板左２８Ｌ（第２整地板右２８Ｒ）の連結を解除するように構成されている。
【００２８】
作業機本体２の左右方向の中央部のシールドカバー１０の上方位置と第２整地板１２の上面との間には、図２（背面図）に示すように、第２整地板１２の上下動に連動するリンク機構４０が設けられている。
【００２９】
このリンク機構４０について、図３〜図６を参照しながら説明する。リンク機構４０は、図３及び図４（平面図）に示すように、ギアボックス６の後側にギアボックス幅方向に所定間隔を有して配設された一対の支持板３５に前側端部が回動自在に接続されて後方側へ延びる第１アーム部４１と、第１アーム部４１の後端部に上端部が回動自在に接続されて下端部が第２整地板１２の上部に回動自在に接続された第２アーム部４２とを有してなる。第２アーム部４２の第２整地板１２に対する回動支点Ｐ（図３参照）は、第２整地板１２の第１整地板１１に対する回動支点Ｏ（図３参照）から第２整地板１２の前後方向の中間位置に設けられている。このため、第２整地板１２が回動支点Ｏを中心として上下方向に回動すると、第２アーム部４２の下端部が回動支点Ｏと回動支点Ｐを結ぶ線Ｌを回動半径として上下方向に移動して、第２アーム部４２に設けられた後述する係止ピン５２を上下方向に移動させることができる。
【００３０】
このリンク機構４０と支持板３５との間には、第１整地板１１に対して第２整地板１２が上向きに立った姿勢で第２整地板１２の回動をロック可能な固定機構５０が設けられている。固定機構５０は、図３、図４、図５（背面図）に示すように、作業機本体２に設けられた一対の支持板３５の各下部に接続された一対の連結板３６に前側端部が回動自在に接続されて後方側へ延びる一対の係合板５１と、第２アーム部４２の前側上部に設けられ幅方向に突出して係合板５１に係止される係止ピン５２と、ロッド側端部が係合板５１に回動自在に接続され、ボトム側端部が作業機本体２（本実施例ではトップマスト４の側面）に回動自在に接続された電動式油圧シリンダ５３とを有してなる。
【００３１】
一対の連結板３６の後側には、一対の連結板３６間に亘って回動自在に支持された軸部３６ａが設けられ、この軸部３６ａの軸方向両側に一対の係合板５１が接続されている。このため、一対の係合板５１は軸部３６ａを回動中心として上下方向に回動自在である。
【００３２】
係合板５１の後側には、図３に示すように、係止ピン５２を挿入して係止可能な係止孔部５１ａを有したフック部５１ｂが形成されている。係止孔部５１ａは、フック部５１ｂから係合板５１の回動支点側へ延びて係合板５１が後方側へ延びた状態で係止孔部５１ａの前側が上方に開口する開口部５１ａ１を有する。この開口部５１ａ１を介して係止ピン５２が挿抜される。
【００３３】
電動式油圧シリンダ５３は、図３及び図４に示すように、そのロッド側端部が一対の係合板５１のうちの一方（図面では左側）の係合板５１の長さ方向中間部に突設された連結ピン５４に回動自在に接続され、電動式油圧シリンダ５３のボトム側端部がトップマスト４の側面に設けられた連結ピン５５に回動自在に接続されている。
【００３４】
電動式油圧シリンダ５３は、略全伸長状態になると、一対の係合板５１を略水平方向へ延ばした状態にして係止孔部５１ａの開口部５１ａ１が上向きになるように一対の係合板５１を回動させる。また、電動式油圧シリンダ５３が略全伸長状態から縮小すると、一対の係合板５１が上方へ回動して係止ピン５２が係止孔部５１ａ内に挿入されて、係合板５１の上方へ回動にともなって第２アーム部４２が前方且つ上方へ移動するとともに、第２整地板１２が上方に回動する。
【００３５】
そして、電動式油圧シリンダ５３が、図６に示すように、略全縮小状態になると、係止ピン５２がフック部５１ｂに係止されて、第２整地板１２が上向きに立った姿勢で第１整地板１１に対する第２整地板１２の回動がロックされるとともに、斜め下方へ延びた姿勢の第１整地板１１のシールドカバー１０に対する回動もロックされる。従って、代かき作業機１は土寄せ作業が可能な姿勢になる。
【００３６】
なお、本実施形態では、作業機本体側に係合板５１、リンク機構側に係止ピン５２を配置しているが、無論、作業機本体側に係止ピン５２、リンク機構側に係合板５１を配置する構成であってもよい。
【００３７】
次に、代かき作業機１によって圃場の端部に盛り上がった土を圃場の低い部分に移動させる土寄せ作業を行う場合についての代かき作業機１の作動を、図６を参照しながら説明する。土寄せ作業を行う場合、作業機本体２の第１整地板１１を使用する場合と、作業機本体２の第１整地板１１の他に、作業体右２０Ｒの第１整地板右２６Ｒ及び作業体左２０Ｌの第１整地板左２６Ｌの少なくともいずれかを使用する場合があるが、本実施例では、作業機本体２の第１整地板１１のみを使用する場合について説明する。
【００３８】
土寄せ作業を行う場合には、図６に示すように、電動式油圧シリンダ５３を略全縮小状態にして、第２整地板１２を上向きに立った姿勢で第１整地板１１に対してロックするとともに、シールドカバー１０に対する第１整地板１１の回動をロックする。そして、第１整地板１１の下端部が盛り上がった土Ｓ上に位置させた後、代かき作業機１を走行させる。
【００３９】
そして、代かき作業機１を前進走行させると、第１整地板１１の下端部よって盛り上がった土Ｓが土寄せされながら圃場の低い部分に移動する。この土寄せ作業時において、走行機体９０（図１参照）に搭乗した作業者Ｍが後方側を振り返って盛り上がった土Ｓを目視した場合、視線の先に代かき作業機１の一部（主フレーム３、シールドカバー１０等）が存在すると、それらが邪魔をして後方側を目視することができなくなる。しかしながら、第２整地板１２は上向きに立った姿勢に維持されているので、第２整地板１２の先端部は代かき作業機１の一部（主フレーム３、シールドカバー１０等）に遮られることなく目視することができる。
【００４０】
従って、圃場の端部に盛り上がった土Ｓを土寄せする場合、第２整地板１２の先端部の位置を作業者が目視確認することで、盛り上がった土Ｓに対する第１整地板１１の下端部の位置を予測することができる。このため、第１整地板１１によって寄せられる土の量を予測することができる。また、土寄せ作業は第１整地板１１によって行われ、第２整地板１２は第１整地板１１の後側に上方へ立った姿勢に配置されるので、土寄せ作業時に第２整地板１２に土Ｓが接触する虞はない。このため、第２整地板１２には、土寄せ作業時の土圧が直接かからないので、第２整地板１２が変形し破損する虞もない。
【００４１】
[第２実施形態]
次に、代かき作業機１の第２実施形態について図７、図８を参照しながら説明する。なお、第２実施形態では、第１実施形態との相違点のみを説明し、第１実施形態と同一態様部分については同一符号を附してその説明を省略する。
【００４２】
第２実施形態の代かき作業機１の固定機構６０は、図７に示すように、ギアボックス６の上方へ延びるトップマスト４の側面に設けられた固定板６１に取り付けられた電動モータ６２と、電動モータ６２の駆動軸の回転よって回転するリンク部材６３と、リンク部材６３の先端部と係合板５１の先端部との間に回動自在に接続された連結アーム部６５とを有してなる。
【００４３】
電動モータ６２は、側面視において略矩形状に形成された固定板６１を介してトップマスト４に取り付けられている。固定板６１には、電動モータ６２の他に電動モータ６２の動力をリンク部材６３に伝える減速ギア６４、リンク部材６３が回転自在に設けられている。連結アーム部６５は、リンク部材６３の先端部に回動自在に接続されたアーム部基端側６５ａと、アーム部基端側６５ａに対して突出入可能に挿入されて係合板５１に接続されたアーム部先端側６５ｂとを有してなる。
【００４４】
アーム部基端側６５ａは筒状に形成され、アーム部先端側６５ｂは棒状に形成され、アーム部基端側６５ａ内にアーム部先端側６５ｂが挿入されて、アーム部先端側６５ｂがアーム部基端側６５ａに対して突出入自在である。
【００４５】
アーム部先端側６５ｂはアーム部基端側６５ａから抜脱しないように構成され、アーム部先端側６５ｂの上部には圧縮ばね６６が装着されている。圧縮ばね６６は、その下端部がアーム部先端側６５ｂに取り付けられたばね座６５ｂ１に接触し、上端部がアーム部基端側６５ａの下側端部に接触するように設けられている。この圧縮ばね６６によって、アーム部先端側６５ｂがアーム部基端側６５ａから所定の長さを有して突出した状態に維持されている。
【００４６】
固定機構６０は、電動モータ６２が駆動すると減速ギア６４を介してリンク部材６３を斜め下方へ延ばした位置に移動させて、係合板５１を略水平方向に向いた姿勢にして係止ピン５２を係合板５１から抜脱して非ロック状態にする。従って、第１整地板１１及び第２整地板１２の回動は自由となって、代かき作業機１は通常の代かき作業が可能な通常作業状態になる。
【００４７】
また、固定機構は、図８に示すように、電動モータ６２が駆動すると減速ギア６４を介してリンク部材６３を斜め上方へ延ばした位置に移動させて、係合板５１を上方へ向いた姿勢にして係止ピン５２を係合板５１にロックした状態にする。従って、第２整地板１２は上向きに立った姿勢で第１整地板１１に対して回動がロックされるとともに、第１整地板１１の回動もロックされて、代かき作業機１は第１整地板１１によって土寄せ作業が可能な姿勢になる。
【００４８】
また、固定機構６０は、代かき作業機１の土寄せ作業時に、第１整地板１１に石等の傷害物が衝突して第１整地板１１に過負荷が作用すると、この過負荷は、第２整地板１２に繋がる第２アーム部４２、係止ピン５２を介して連結アーム部６５に作用する。この連結アーム部６５に作用した過負荷は、連結アーム部６５を縮小させる方向に作用して、リンク部材６３、減速ギア６４及び電動モータ６２に伝達される。このため、リンク部材６３や電動モータ６２が損傷する虞が生じる。
【００４９】
しかしながら、本願の固定機構６０の連結アーム部６５には、圧縮ばね６６が装着されているので、過負荷が連結アーム部６５に作用すると、アーム部先端側６５ｂがアーム部基端側６５ａに対して突入し、これと同時に圧縮ばね６６が縮小して過負荷のエネルギーを吸収する。従って、リンク部材６３や電動モータ６２が損傷する虞を未然に防止することができる。
【００５０】
なお、前述した両実施の形態では、作業機本体２の両側に作業体左２０Ｌ及び作業体右２０Ｒが折り畳み且つ展開可能に設けられた代かき作業機１を例にしたが、作業体左２０Ｌ及び作業体右２０Ｒが無く作業機本体２のみを備える代かき作業機でもよい。
【符号の説明】
【００５１】
１  代かき作業機
２  作業機本体
１０  シールドカバー
１１  第１整地板
１２  第２整地板
１３  耕耘ロータ
４０  リンク機構
５０、６０  固定機構（固定手段）
５１  係合板（係合手段）
５２  係止ピン（係止手段）
【図１】
2014075987.tif 000003
【図２】
2014075987.tif 000004
【図３】
2014075987.tif 000005
【図４】
2014075987.tif 000006
【図５】
2014075987.tif 000007
【図６】
2014075987.tif 000008
【図７】
2014075987.tif 000009
【図８】
2014075987.tif 000010
【図９】
2014075987.tif 000011